(57)【要約】【課題】誘発電位・筋電図検査装置（筋電計）によって神経伝導検査を実行するに際して、検査時間の短縮を図ると共に、症例に対応したテストシーケンス（検査項目）をもれなく実行することが可能な神経伝導伝送装置及び検査方法を提供する。【解決手段】症例に応じた検査を実行する神経伝導検査装置であって、症例毎に一連の検査プログラムを設定して記憶部に登録する検査プログラム登録手段と、前記各検査プログラムに複数の検査項目を設定して、前記記憶部に登録する検査項目登録手段と、前記各検査プログラムに新たな検査項目を設定して、前記記憶部に登録する検査項目を登録する検査項目追加登録手段とを備える神経伝導検査装置。【選択図】図１２
2004081544.tif 000002
【特許請求の範囲】
【請求項１】
症例に応じた検査を実行する神経伝導検査装置であって、
症例毎に一連の検査プログラムを設定して記憶部に登録する検査プログラム登録手段と、
前記各検査プログラムに複数の検査項目を設定して、前記記憶部に登録する検査項目登録手段と、
前記各検査プログラムに新たな検査項目を設定して、前記記憶部に登録する検査項目を登録する検査項目追加登録手段と、
を備えることを特徴とする神経伝導検査装置。
【請求項２】
前記検査項目の設定において、検査対象神経毎に運動神経伝導検査、知覚神経伝導検査あるいはＦ波検査の測定条件及び正常値範囲を設定する条件設定手段を備えることを特徴とする請求項１に記載の神経伝導検査装置。
【請求項３】
前記検査項目設定手段によって設定された一連の検査項目を、検査の進行に合わせて、検査結果と共に表示する表示装置に表示する表示手段とを備えることを特徴とする請求項１又は２に記載の神経伝導検査装置。
【請求項４】
前記一連の検査項目の検査結果を一括して出力する検査結果出力手段を備えることを特徴とする請求項１〜３のいずれか１項に記載の神経伝導検査装置。
【請求項５】
神経伝導検査装置により症例に応じた神経伝導検査を実行するに際して、
症例毎に一連の検査プログラムを設定するステップと、
前記各検査プログラムに複数の検査項目を設定するステップと、
前記各検査プログラムに新たな検査項目を追加するステップと、
を含み設定された検査プログラムを順次実行することを特徴とする神経伝導検査装置の操作方法。
【請求項６】
前記検査項目の設定において、検査対象神経毎に運動神経伝導検査、知覚神経伝導検査あるいはＦ波検査の測定条件及び正常値範囲を設定するステップと、
を含むことを特徴とする請求項５に記載の神経伝導検査装置の操作方法。
【請求項７】
前記検査項目の検査結果を一括してレポート若しくはファイリングとして出力するステップと、
を含むことを特徴とする請求項５又は６に記載の神経伝導検査装置の操作方法。
【請求項８】
神経伝導検査装置において症例に応じた神経伝導検査を実行するために、
症例毎に一連の検査プログラムを設定するステップと、
前記各検査プログラムに複数の検査項目を設定するステップと、
前記各検査プログラムに新たな検査項目を追加するステップと、
前記検査項目設定手段によって設定された一連の検査項目を、検査の進行に合わせて、検査結果と共に表示する表示装置に表示するステップと、
を含む検査プログラムが格納された記憶媒体。
【請求項９】
神経伝導検査装置において症例に応じた神経伝導検査を実行するために、
症例毎に一連の検査プログラムを設定する手順と、
前記各検査プログラムに複数の検査項目を設定する手順と、
前記各検査プログラムに新たな検査項目を追加する手順と、
前記検査項目設定手段によって設定された一連の検査項目を、検査の進行に合わせて、検査結果と共に表示する表示装置に表示する手順と、
をコンピュータに実行させるプログラム。
【発明の詳細な説明】
【０００１】
【発明の属する技術分野】
本発明は、誘発電位・筋電図検査装置（筋電計）によって神経伝導検査を実行すると共にその検査結果を解析（レビュー）するソフトウエアに関する。
【０００２】
【従来の技術】
この種の誘発電位測定装置（神経伝導検査装置）としては、特開平１１−３４７００８号公報に記載のものが知られている。
上記公報に記載の誘発電位測定装置は、図１０に示すように、周期生成手段１，８と、刺激信号出力手段２と、増幅手段３と、デジタル化・記憶手段４と、演算手段５，９と、特徴抽出手段６と、表示手段７と、標準電圧出力手段１０と、予測手段１１とから概略構成されている。
上記周期生成手段１は、測定開始を指示するための測定開始スイッチ（図示略）の押下に基づいて、所定周期の測定周期信号ＳＴを生成して、刺激信号出力手段２及びデジタル化・記憶手段４に供給する。
刺激信号出力手段２は、周期生成手段１から供給される測定周期信号ＳＴに同期して、被験者１２に感覚刺激を与えるための微弱な刺激信号ＳＳを生成して、ケーブル１３ａ、及び被験者１２の例えば、左手首に貼り付けられた生体電極１４ａを介して被験者１２に刺激信号ＳＳを印加する。
【０００３】
上記増幅手段３は、被験者１２の例えば、頭部に貼り付けられた生体電極１４ｂと生体電極１４ｃとの間に発生し、ケーブル１３ｂ，１３ｃを介して供給される微弱な神経活動電位を高感度に増幅すると共に、神経活動電位が存在する周波数帯域以外の周波数帯域のノイズを除去するためにフィルタリングする。
なお、増幅手段３のアース端子（図示略）は、アースケーブル１５を介して、被験者１２の例えば、左腕に装着された導電体からなるアースバンド１６と接続されている。
【０００４】
デジタル化・記憶手段４は、標本化回路、Ａ／Ｄコンバータ及びメモリを有し、周期生成手段１から供給される測定周期信号ＳＴに同期して、増幅手段３から出力されるアナログの神経活動電位を所定の標本化周波数で標本化した後、デジタルの神経活動電位に変換（量子化）してメモリに記憶する。
演算手段５は、デジタル化・記憶手段４を構成するメモリに記憶されているデジタルの神経活動電位を読み出して、加算平均法に基づいて加算処理及び平均化処理を施し、その演算結果をＣＲＴディスプレイや液晶ディスプレイ等からなる表示手段７に表示する。
【０００５】
特徴抽出手段６は、デジタル化・記憶手段４を構成するメモリに記憶されているデジタルの神経活動電位を読み出して、平均値ピークの振幅等の特徴を抽出し、その抽出結果を表示手段７に表示する。
周期生成手段８は、測定を開始して良いか否かを確認するための確認スイッチ（図示略）の押下に基づいて、所定周期Ｔの確認周期信号ＳＫ（図１１（ａ）参照）を生成して、演算手段９に供給する。
【０００６】
演算手段９は、標本化回路及びＡ／Ｄコンバータを有し、周期生成手段８から供給される確認周期信号ＳＫに同期して、被験者１２に刺激信号ＳＳを印加しない状態で増幅手段３から出力されるアナログ信号ＳＡ（図１１（ｂ）参照）をデジタル化・記憶手段４を構成するＡ／Ｄコンバータが使用する標本化周波数と同一の標本化周波数で標本化した後、デジタル信号に変換（量子化）し、さらに確認周期信号ＳＫの一つの周期内におけるアナログ信号ＳＡの最大値Ｖｍａｘ及び最小値Ｖｍｉｎ（図１１（ｂ）参照）に対応したデジタル信号の最大値ＶＤｍａｘ及び最小値ＶＤｍｉｎを求め、その電圧差ＶＤＤを演算して予測手段１１に供給する。
【０００７】
標準電圧出力手段１０は、どのような種類の検査を行うかを設定するために、当該検査に対応して予め設定されたコードを入力するための検査コード入力キー（図示略）の押下に基づいて、当該検査コードに対応した標準電圧ＶＳを出力し、予測手段１１に供給する。
検査の種類によって被験者１２の生体から得られる神経活動電位のレベルが異なるので、それに応じて比較すべき標準電圧ＶＳも異なる。
そこで、標準電圧出力手段１０は、入力された検査コードに対応した標準電圧ＶＳを出力するのである。
この標準電圧出力手段１０は、例えば、検査コード毎に標準電圧ＶＳが予め記憶された半導体メモリ等の記憶手段で構成したり、検査コード毎に予め設定された標準電圧ＶＳを求めるための演算式を記憶し、入力された検査コードに対応した標準電圧ＶＳをそれに対応した演算式に基づいて求める演算手段で構成しても良い。
【０００８】
ここで、標準電圧ＶＳとは、それぞれの検査の種類毎に、増幅手段３に入力されるノイズが無視できるような理想的な測定環境下で、健康な被験者を検査した場合に得られる神経活動電位をいう。
予測手段１１は、供給された電圧差ＶＤＤと標準電圧ＶＳとに基づいて、信頼性の高い神経活動電位の加算・平均結果が得られるまでの加算回数を予測計算し、計算結果を表示手段７に表示する。
【０００９】
【発明が解決しようとする課題】
上述の如き誘発電位測定装置により神経伝導検査を行う際には、検査を行う神経の種類、サイド（右，左）、伝導検査（運動神経伝導検査，知覚神経伝導検査，Ｆ波検査）毎に検査プログラムを立ち上げて実行する必要があるため、長い検査時間を要するという問題があった。
また、症例（ＤＭ−Ｒｏｕｔｉｎ（糖尿病ルーチン），Ｃａｒｐａｌ−Ｔｕｎｎｅｌ−Ｓｙｎｄｒｏｍｅ（手根管症候群），Ｃｕｐｉｔａｌ−Ｔｕｎｎｅｌ−Ｓｙｎｄｒｏｍｅ（肘部管症候群）等）毎の検査項目（シーケンス）が定められている場合、検査オペレータの記憶に頼ったり、メモ等を参照して検査を進めるので、検査時間が多く掛かると共に検査漏れ等が生じるという問題もあった。
【００１０】
本発明の課題
（目的）は、誘発電位・筋電図検査装置（筋電計）によって神経伝導検査を実行するに際して、検査時間の短縮を図ると共に、症例に対応したテストシーケンス（検査項目）をもれなく実行することが可能な神経伝導検査装置及び検査方法を提供することにある。
【００１１】
【課題を解決するための手段】
前記課題を解決するために、症例に応じた検査を実行する神経伝導検査装置であって、症例毎に一連の検査プログラムを設定して記憶部に登録する検査プログラム登録手段と、前記各検査プログラムに複数の検査項目を設定して、前記記憶部に登録する検査項目登録手段と、前記各検査プログラムに新たな検査項目を設定して、前記記憶部に登録する検査項目を登録する検査項目追加登録手段とにより神経伝導検査装置を構成する。（請求項１）
【００１２】
また、前記検査項目の設定において、検査対象神経毎に運動神経伝導検査、知覚神経伝導検査あるいはＦ波検査の測定条件及び正常値範囲を設定する条件設定手段を備える。（請求項２）
また、前記検査項目設定手段によって設定された一連の検査項目を、検査の進行に合わせて、検査結果と共に表示する表示装置に表示する表示手段とを備える。
（請求項３）
また、前記一連の検査項目の検査結果を一括して出力する検査結果出力手段を備える。（請求項４）
【００１３】
神経伝導検査装置により症例に応じた神経伝導検査を実行するに際して、症例毎に一連の検査プログラムを設定するステップと、前記各検査プログラムに複数の検査項目を設定するステップと、前記各検査プログラムに新たな検査項目を追加するステップとを含む設定された検査プログラムを順次実行するように操作する。（請求項５）
【００１４】
また、前記検査項目の設定において、検査対象神経毎に運動神経伝導検査、知覚神経伝導検査あるいはＦ波検査の測定条件及び正常値範囲を設定するステップとを含む。（請求項６）
また、前記検査項目の検査結果を一括してレポート若しくはファイリングとして出力するステップとを含む。（請求項７）
【００１５】
また、神経伝導検査装置において症例に応じた神経伝導検査を実行するために、症例毎に一連の検査プログラムを設定するステップと、前記各検査プログラムに複数の検査項目を設定するステップと、前記各検査プログラムに新たな検査項目を追加するステップと、前記検査項目設定手段によって設定された一連の検査項目を、検査の進行に合わせて、検査結果と共に表示する表示装置に表示するステップとを含む検査プログラムをディスク等の記憶媒体に格納する。（請求項８）
【００１６】
神経伝導検査装置において症例に応じた神経伝導検査を実行するために、症例毎に一連の検査プログラムを設定する手順と、前記各検査プログラムに複数の検査項目を設定する手順と、前記各検査プログラムに新たな検査項目を追加する手順と、前記検査項目設定手段によって設定された一連の検査項目を、検査の進行に合わせて、検査結果と共に表示する表示装置に表示する手順とをコンピュータに実行させるプログラムとする。（請求項９）
【００１７】
【発明の実施の態様】
先ず本発明の操作手順が適用される一例である神経伝導検査装置（筋電計）のハードウエア構成を図１３を用いて説明する。
図１３は筋電計の構成ブロック図を示す。
ケーブルを介して入力箱２に接続された筋電図検出用針電極３１−１とアース（Ｅ）電極３１−２は生体の所定部位に装着され、筋電図信号が検出される。
検出された筋電図信号は、入力箱３２に内蔵された増幅器３３により増幅され、Ａ／Ｄコンバーター３４によりアナログ信号からデジタル信号に変換される。
【００１８】
デジタル化された筋電図信号は信号処理部５に入力される。
信号処理部３５はＤＰＳ３６、データメモリ３７、ＣＰＵ３８からなる。
ＤＳＰ（Ｄｉｇｉｔａｌ　Ｓｉｇｎａｌ　Ｐｒｏｃｅｓｓｏｒ）３６は高速のハードウェア演算器であり、乗算、加減算、フィルタ処理、増幅、整流、積分処理、シグナルトリガコントロール機能等、任意の機能が搭載され、目的に応じてデジタル信号が処理される。
なお、ここでシグナルトリガコントロール機能とは、筋電図信号を受け、予め設定されたレベルをこえる振幅を持つ波形のみを取り込む機能（Ｌｅｖｅｌ　Ｔｒｉｇｇｅｒ）、波形のピーク値が設定された二つのレベルの間にある波形のみを取り込む機能（Ｗｉｎｄｏｗ　Ｔｒｉｇｇｅｒ）であり、波形データを取捨選択する。
データメモリ３７は、ＤＳＰ３６の出力信号を記憶するメモリである。
ＣＰＵ３８は、後述するＣＰＵ４１と協働し、ＤＳＰ３６で処理する内容を指示する機能、データメモリ３７に記憶されたデータを後述するＣＰＵ４１に送信する機能を有する。
【００１９】
次にＰＣベースのコンピュータ４０について説明する。
ＣＰＵ４１はプログラムメモリ４２に格納されたプログラムを処理するなどして、装置の動作制御、データの演算処理を行う。
プログラムメモリ４２は、筋電図信号の表示記録処理、筋電図信号の解析処理、装置全体の動作処理等のためのプログラムが格納されている。
データメモリ４３には、ＣＰＵ４１で処理されたデータが記憶される。
表示部４４には、処理された筋電図信号及び解析結果の表示等がなされる。
【００２０】
プリンタドライバ４５は、ＣＰＵ４１の指令を受けてプリンター４６に筋電図波形及び解析結果等を出力させる。
ＨＤＤ（ハードディスクドライブ）インターフェイス４７は、ＣＰＵ４１の指令を受けてＨＤＤ（ハードディスクドライブ）４８に筋電図信号及び解析結果等を記憶させる。
ユーザーインタフェイス４９は、マウス５０、キー５１等の操作手段により入力された信号をＣＰＵ４１に伝える。
生体への刺激条件、検査項目の入力の他、後述する解析する筋電図波形の指定、プリンター４６に出力したいデータの指定、ＨＤＤ４８に記憶したいデータの指定等を入力することができる。
【００２１】
図１は、上記神経伝導検査装置（筋電計）において、症例毎に一連の検査プログラムを設定して記憶装置に登録する検査プログラム登録手段によって登録された状態（Ｅｘａｍｉｎａｔｉｏｎ−Ｐｒｏｇｒａｍ−Ｍａｎａｇｅｒ）の１例を表示装置（ディスプレイ）に表示したものである。
図１において、「神経伝導検査」が選択され、その検査名として、「ＤＭ−Ｒｏｕｔｉｎ」（糖尿病ルーチン），「ＣＴＳ」（Ｃａｒｐａｌ−Ｔｕｎｎｅｌ−Ｓｙｎｄｒｏｍｅ（手根管症候群）），「Ｃｕｐｉｔａｌ」（Ｃｕｐｉｔａｌ−Ｔｕｎｎｅｌ−Ｓｙｎｄｒｏｍｅ（肘部管症候群））が表示されている。
【００２２】
図１の表示画面上で「ＤＭ−Ｒｏｕｔｉｎ」をクリックすると、図２の画面に移行する。
この画面は、「ＤＭ−Ｒｏｕｔｉｎ」（糖尿病ルーチン）の測定画面である。
図２では、測定箇所として「Ｗｒｉｓｔ」（手首）、「Ｅｌｂｏｗ」（肘）、「Ａｘｉｌｌａ」（腋か）の設定が可能に形成されている。
そして、この画面には、予め登録された検査項目（テスト　シーケンス）が画面の左下に表示されている。
【００２３】
テストシーケンスの表示は、図２「Ｔｅｓｔ−Ｓｅｑｕｅｎｃｅ　−Ｎｏ」（シーケンス番号）、「Ｔｅｓｔ］（検査種別）、「Ｎｅｒｖｅ」（神経名）、「Ｓｉｄｅ」（検査側）で構成されている。
シーケンス番号は、１〜４２まで登録可能である。
また、検査種別としては、各検査対象神経毎に「運動神経伝導検査」（Ｍ）、「知覚神経伝導検査」（Ｓ）及びＦ−ｗａｖｅ検査（Ｆ）がある。
また、検査側（Ｓｉｄｅ）としては、「Ｌｅｆｔ」（Ｌ）及び「Ｒｉｇｈｔ」（Ｒ）がある。
また、神経名（Ｎｅｒｖｅ）としては、「Ｍｅｄｉａｎ」（Ｍｅｄｉａｎ−ｎｅｒｖｅ）（正中神経）、「Ｕｌｎａｒ」（Ｕｌｎａｒ−ｎｅｒｖｅ）（尺骨神経）、「Ｔｉｂｉａｌ」（Ｔｉｂｉａｌ−ｎｅｒｖｅ）（頚骨神経）、「Ｒａｄｉｎａｌ」（Ｒａｄｉｎａｌ−ｎｅｒｖｅ）（橈骨神経）、「Ｐｅｒｏｎｅａｌ」（Ｐｅｒｏｎｅａｌ−ｎｅｒｖｅ）（腓骨神経）、「Ｓｕｒａｌ」（Ｓｕｒａｌ−ｎｅｒｖｅ）（腓腹神経）、「Ｆｅｍｏｒａｌ」（Ｆｅｍｏｒａｌ−ｎｅｒｖｅ）（大腿神経）等がある。
【００２４】
図１の表示画面上で「ＣＴＳ」をクリックすると、図３の画面に移行する。
この画面は、Ｃａｒｐａｌ−Ｔｕｎｎｅｌ−Ｓｙｎｄｒｏｍｅ（手根管症候群）の測定画面であり、図２の場合とほぼ同様であるが、この図では、テストシーケンスがＮｏ１〜Ｎｏ６まで選択されている状態が示されている。
【００２５】
図１の表示画面上で「Ｃｕｐｉｔａｌ」をクリックすると、図４の画面に移行する。
この画面は、Ｃｕｐｉｔａｌ−Ｔｕｎｎｅｌ−Ｓｙｎｄｒｏｍｅ（肘部管症候群）の測定画面であり、図２の場合とほぼ同様であるが、この図では、テストシーケンスがＮｏ１〜Ｎｏ２まで選択されている状態が示されている。
【００２６】
図５にはテストシーケンスの登録状態を示している。
この図では、シーケンス番号Ｎｏ１〜Ｎｏ４２に対応して、「Ｎｅｒｖｅ」（神経名）、「Ｓｉｄｅ」（検査側）及び「Ｔｅｓｔ」が予め登録されていて、被検査対象の症例に合わせて必要なものを選択することができる。
【００２７】
図６は検査中の表示画面であって、検査波形の表示と共に、現在の検査がテストシーケンスのどの部分であるかが表示される。
図示の如く、検査済みのテストＮｏが反転表示されていて、テストＮｏ９までが終了して、テストＮｏ１０以降が未測定検査であることが一目で分かるように表示される。
また、任意のテストＮｏ（この場合はテストＮｏ１３）のジャンプすることも可能である。
【００２８】
図７は検査中の表示画面の別の例であって、複数の測定箇所（「Ｗｒｉｓｔ」（手首）、「Ｅｌｂｏｗ」（肘）、「Ａｘｉｌｌａ」（腋か））の測定結果を個別及び重ね合わせの両方を表示している。
このように、測定結果を重ね合わせて表示することによって、測定結果の解析が容易にできる。
この場合も図６と同様に、検査波形の表示と共に、現在の検査がテストシーケンスのどの部分であるかが表示される。
【００２９】
図８及び図９は、一連のテストシーケンスで実行された検査結果を一括して出力した一例を示すもので、図８では被検査対象のＩＤ番号、氏名、生年月日、年齢等の書誌的事項とともに、「運動神経伝導検査」（Ｍｏｔｏｒ−Ｎｅｒｖｅ−Ｃｏｎｄｕｃｔｉｏｎ−Ｓｔｕｄｙ）、「知覚神経伝導検査」（Ｓｅｎｓｏｒｙ−Ｎｅｒｖｅ−Ｃｏｎｄｕｃｔｉｏｎ−Ｓｔｕｄｙ）及びＦ検査（Ｆ−ｗａｖｅ−Ｓｔｕｄｙ）の検査結果を一括して表にして出力されている。
また、図９には、検査結果である出力波形が検査毎に一括して表示されている。
【００３０】
図８及び図９に示す検査結果は、表示部に表示されるだけでなく、プリントアウトもできると共に、電子ファイルとして、任意の記憶手段に蓄積しておくこともできる。
また、各被検査対象毎のカルテ（電子カルテを含む）内に添付することも可能である。
【００３１】
次に本発明の神経伝導検査装置における検査手順を図１２のフローチャートを用いて説明する。
先ず、症例に応じた神経伝導検査を実行するに際して、
・症例毎に一連の検査プログラムを設定する。（ステップＳ１）
・次に、前記各検査プログラムに複数の検査項目を設定する。（ステップＳ２）
・必要に応じて前記各検査プログラムに新たな検査項目を追加する。（ステップＳ３）
・設定された検査プログラムを順次実行すると共に、検査結果を表示する。（ステップＳ４）
・検査結果を一括してレポート若しくはファイリングとして出力する。（ステップＳ５）
【００３２】
【発明の効果】
請求項１に記載の発明では、症例に応じた検査を実行する神経伝導検査装置であって、症例毎に一連の検査プログラムを設定して記憶部に登録する検査プログラム登録手段と、前記各検査プログラムに複数の検査項目を設定して、前記記憶部に登録する検査項目登録手段と、前記各検査プログラムに新たな検査項目を設定して、前記記憶部に登録する検査項目を登録する検査項目追加登録手段とにより神経伝導検査装置を構成することによって、誘発電位・筋電図検査装置（筋電計）によって神経伝導検査を実行するに際して、検査時間の短縮を図ると共に、症例に対応したテストシーケンス（検査項目）をもれなく実行することが可能な神経伝送検査装置が実現できる。
【００３３】
また、請求項２に記載の発明では、前記検査項目の設定において、検査対象神経毎に運動神経伝導検査、知覚神経伝導検査あるいはＦ波検査の測定条件及び正常値範囲を設定する条件設定手段を備えることによって、検査によってえられた測定値が正常値範囲内であるかがディスプレイ上で容易に判別できる。
また、請求項３に記載の発明では、前記検査項目設定手段によって設定された一連の検査項目を、検査の進行に合わせて、検査結果と共に表示する表示装置に表示する表示手段とを備えているので、検査の進行状況の把握が容易にできる。また、請求項４に記載の発明では、前記一連の検査項目の検査結果を一括して出力する検査結果出力手段を備えているので、検査結果である出力波形が神経毎に一括して表示することができる。
【００３４】
請求項５に記載の発明では、神経伝導検査装置により症例に応じた神経伝導検査を実行するに際して、症例毎に一連の検査プログラムを設定するステップと、前記各検査プログラムに複数の検査項目を設定するステップと、前記各検査プログラムに新たな検査項目を追加するステップとを含む設定された検査プログラムを順次実行するので、誘発電位・筋電図検査装置（筋電計）によって神経伝導検査を実行するように操作するに際して、検査時間の短縮を図ると共に、症例に対応したテストシーケンス（検査項目）をもれなく実行することが可能な神経伝送検査を長い検査時間を要せずに容易にできる。
【００３５】
また、請求項６に記載の発明では、前記検査項目の設定において、検査対象神経毎に運動神経伝導検査、知覚神経伝導検査あるいはＦ波検査の測定条件及び正常値範囲を設定するステップとを含むので、検査によってえられた測定値が正常値範囲内であるかがディスプレイ上で容易に判別できる。
また、請求項７に記載の発明では、前記検査項目の検査結果を一括してレポート若しくはファイリングとして出力するステップとを含むので、カルテ等の添付するレポートとしてプリントしたり、電子ファイルとして保存が容易にできる。
【００３６】
請求項８に記載の発明では、神経伝導検査装置において症例に応じた神経伝導検査を実行するために、症例毎に一連の検査プログラムを設定するステップと、前記各検査プログラムに複数の検査項目を設定するステップと、前記各検査プログラムに新たな検査項目を追加するステップと、前記検査項目設定手段によって設定された一連の検査項目を、検査の進行に合わせて、検査結果と共に表示する表示装置に表示するステップとを含む検査プログラムをディスク等の記憶媒体に格納しておくことによって、既存の検査装置にも容易に適用できる。
【００３７】
請求項９に記載の発明では、神経伝導検査装置において症例に応じた神経伝導検査を実行するために、症例毎に一連の検査プログラムを設定する手順と、前記各検査プログラムに複数の検査項目を設定する手順と、前記各検査プログラムに新たな検査項目を追加する手順と、前記検査項目設定手段によって設定された一連の検査項目を、検査の進行に合わせて、検査結果と共に表示する表示装置に表示する手順とをコンピュータに実行させるプログラムであるので、既存の検査装置のバージョンアップ等に適用できる。
【図面の簡単な説明】
【図１】本発明の神経伝導検査装置における、症例毎に一連の検査プログラムを設定して記憶装置に登録する検査プログラム登録手段によって登録する表示画面である。
【図２】図１の表示画面上で「ＤＭ−Ｒｏｕｔｉｎ」をクリックした場合の表示画面である。
【図３】図１の表示画面上で「ＣＴＳ」をクリックした場合の表示画面である。
【図４】図１の表示画面上で「Ｃｕｐｉｔａｌ」をクリックした場合の表示画面である。
【図５】テストシーケンスの登録状態を示す表示画面である。
【図６】検査中の表示画面であって、検査波形の表示と共に、現在の検査がテストシーケンスのどの部分であるかが表示される。
【図７】検査中の表示画面の別の例である。
【図８】被検査対象のＩＤ番号、氏名、生年月日、年齢等の書誌的事項とともに、「運動神経伝導検査」、「知覚神経伝導検査」及び「Ｆ検査」の検査結果を一括して表にして出力して一例を示す図である。
【図９】「運動神経伝導検査」、「知覚神経伝導検査」及び「Ｆ検査」の検査結果を一括してグラフとして出力して一例を示す図である。
【図１０】従来の誘発電位測定装置の構成を示す図である。
【図１１】従来の誘発電位測定装置の波形処理を示す図である。
【図１２】本発明の設定動作を示すフローチャートである。
【図１３】本発明の操作手順が適用される一例である神経伝導検査装置（筋電計）のハードウエア構成を示す図である。
【符号の説明】
Ｓ１　　　　症例毎に一連の検査プログラムを設定するステップ
Ｓ２　　　　各検査プログラムに複数の検査項目を設定するステップ
Ｓ３　　　　各検査プログラムに新たな検査項目を追加するステップ
Ｓ４　　　　設定された検査プログラムを順次実行すると共に表示するステップ
Ｓ５　　　　　　　検査結果を一括してレポート若しくはファイリングとして出力するス
テップ
【図１】
2004081544.tif 000003
【図２】
2004081544.tif 000004
【図３】
2004081544.tif 000005
【図４】
2004081544.tif 000006
【図５】
2004081544.tif 000007
【図６】
2004081544.tif 000008
【図７】
2004081544.tif 000009
【図８】
2004081544.tif 000010
【図９】
2004081544.tif 000011
【図１０】
2004081544.tif 000012
【図１１】
2004081544.tif 000013
【図１２】
2004081544.tif 000014
【図１３】
2004081544.tif 000015